(57)【要約】【課題】  清潔な状態で安心して用を足すことができると共に、感染症や二次的感染症等を防ぐことができ、かつ廃棄が容易である便座シートの提供。【解決手段】  本発明による便座シートは、便座６１の上面６１１に載置する開口部１１０を有する上面シート部１１と、開口部１１０から垂れ下がるように上面シート部１１に接続された円環状の内側シート部１２と、内側シート部１２に沿って周状に配設された紐体１３を有する。更に、該便座シートの各構成部材が、便器に付着している感染源等の前記便座シートへの浸透を遮断する材質の紙及び又は樹脂で形成されており、かつ、該紙及び該樹脂が生分解性の材質であることが好ましい。【選択図】  図１
2007159839.tif 000002
【特許請求の範囲】
【請求項１】
開口部を有する便座に装着する便座シートであって、
前記便座の開口部の内側面を覆うように円環状に形成した内側シート部と、
前記内側シート部を前記便座の開口部に垂れ下がるように保持すると共に便座の着座面を覆う上面シート部とを備えることを特徴とする便座シート。
【請求項２】
前記便座シートが、感染源の便座シート内部への浸透を遮断する材質で構成されていることを特徴とする請求項１記載の便座シート。
【請求項３】
前記浸透を遮断する材質が、紙及び又は樹脂であることを特徴とする請求項２記載の便座シート。
【請求項４】
前記便座シートを構成する部材が、微生物の代謝作用により樹脂成分が水と炭酸ガスに分解される生分解性樹脂であることを特徴とする請求項１又は２又は３記載の便座シート。
【請求項５】
前記上面シート部が、静電気の発生を抑制する静電気防止剤を含有することを特徴とする請求項１乃至４の何れかに記載の便座シート。
【請求項６】
前記内側シート部が、該内側シート部の外周に沿って配設された紐体を有することを特徴とする請求項１乃至５の何れかに記載の便座シート。
【請求項７】
前記上面シート部の表面に、前記便座シートを包装するための包装体が接続されていることを特徴とする１乃至６の何れかに記載の便座シート。
【請求項８】
前記便座シートの上面シート部及び内側シート部の嵩を縮小する様に縮小用紐が縫い込まれ、該縮小用紐が、外部から牽引される端部を有することを特徴とする請求項１乃至７の何れかに記載の便座シート。
【請求項９】
前記縮小用紐が、該縮小用紐の端部に取り付けられた把持部材を有することを特徴とする請求項８記載の便座シート。
【請求項１０】
前記上面シート部が、前記縮小用紐を下側から覆う保護シート部を便座と対向する面に配することを特徴とする請求項８又は９記載の便座シート。
【請求項１１】
前記上面シート部と前記保護シート部が、熱圧着により接続されていることを特徴とする請求項１０記載の便座シート。
【請求項１２】
前記上面シート部が、便座と対向する面に便座に仮固定するための粘着テープを有することを特徴とする請求項１乃至１１の何れかに記載の便座シート。
【請求項１３】
前記上面シート部が、便器の前面及び側面を覆う前方ガード部及び側方ガード部を有することを特徴とする請求項１乃至１２の何れかに記載の便座シート。
【発明の詳細な説明】
【技術分野】
【０００１】
本発明は、洋式トイレ等の便座に装着する便座シートに係り、特に便座等からの感染を予防することができる便座シートに関する。
【背景技術】
【０００２】
洋式トイレは、その使い勝手の良さから、広く一般的に普及している。しかしながら、洋式トイレ、特に不特定多数の人間が使用する公衆トイレにおける洋式トイレの便座は、清潔な状態であるとは言い難く、着座する際には肌が直接便座に触れるため、人によってはその使用をためらう場合もある。
【０００３】
そのため、公衆の洋式トイレを使用する際に便座の上に敷く便座シートが提案されている（例えば、特許文献１参照）。
【０００４】
前記従来の便座シート９を使用する場合には、図１８に示すごとく、便座シート９の上面９１１に着座することになるため、便座６１の上面６１１に直接座るより清潔な状態であり、安心して用を足すことができる。また、便座シート９は、水溶性の紙のため、使用後に排泄物と共に流すことができる。
【特許文献１】特開平０７−２３１８６２号公報
【発明の開示】
【発明が解決しようとする課題】
【０００５】
前記便座シート９は、便座６１に敷いても容易に便座６１からずれたり、便座６１から落ちたりして、便座を確実には覆いにくいという不具合があった。また、上述のごとく、従来の便座シート９は、水溶性の紙のため、便座６１に敷いたときに、便器に付着している病原体等を含んだ感染源や排泄物（以下、単に感染源等という）が、便座６１と直接接する前記便座シート９の下面９１２から吸収され、その上面９１１にまで浸透してくるおそれがある。この場合には、使用者に不快感を与えると共に、便座シート９の上面９１１にまで浸透してきた感染源等に肌が触れてしまうこととなり、使用者の免疫力が低下している時や感染力の強い病原体によっては、感染症や二次的感染症（日和見感染症等）等を引き起こすおそれがある。
また、便座６１をアルコール等で拭いて消毒しても、完全に感染源等を除去することは困難である。
【０００６】
本発明は、かかる従来の問題点に鑑みてなされたもので、便座上でずれることなく確実に便座からの感染症や二次的感染症等を防ぐことができる便座シートを提供することを目的とする。
【課題を解決するための手段】
【０００７】
前記目的を達成するため本発明は、便座シートにおいて、便座の上面に載置する上面シート部と、汚物が落とされる便座開口の内側面を覆うように前記上面シート部に接続された円環状の内側シート部とから成ることを第１の主な特徴とする。
【０００８】
また、本発明は、前記便座シートが、便器に付着している感染源等の前記便座シートへの浸透を遮断する材質で形成されていることを第２の主な特徴とする。
【発明の効果】
【０００９】
前述の本発明の第１の特徴による便座シートは、汚物が落とされる便座の開口の内側面を覆う前記内側シート部を設けたことにより、前記便座シートが便器からずれることを防ぎ、かつ感染症や二次的感染症等の感染を防ぐことができ、ひいては、生活環境の改善や衛生水準の向上を図ることができる。
【００１０】
また前記第２の特徴による便座シートは、感染源等の浸透を遮断する材質から構成することにより、前記便座シートの下面から感染源等が吸収されて上面シート部の上面にまで浸透してくることを防止し、このため感染症や二次的感染症及び創傷部における接触感染等を更に予防することができる。
【００１１】
以上のごとく、本発明によれば、容易に清潔な状態で安心して用を足すことができると共に、感染症や二次的感染症等の感染を防ぐことができる便座シートを提供することができる。
【発明を実施するための最良の形態】
【００１２】
以下、本発明による便座カバーの複数の実施形態を図面を参照して詳細に説明するものであるが、本明細書においては、使用者が便座に着座した状態において、使用者から見て、前、後、上、下、左、右となる向きを、それぞれ前、後、上、下、左、右として説明する。
【００１３】
<実施形態１>
本発明の第１の実施形態による便座シートを、図１〜図９を用いて説明する。
本実施形態は、公衆トイレに設置される洋式トイレの便座６１に装着する便座シート１の実施形態である。
【００１４】
<構成の説明>
本発明の第１の実施形態による便座シート１は、図１に示すごとく、便座６１の上面６１１を覆う上面シート部１１と、該上面シート部１１に接続され、便座の開口の内側面６１０に垂れ下がる内側シート部１２と、該内側シート部に内挿された紐体１３とを有する。なお、本発明でいう内側面６１０とは、図１に示すごとく、便座６１の開口された部分の内側の壁をいう。
【００１５】
内側シート部１２は、図１〜図３に示すごとく、便座６１の上面６１１より２．５〜３ｃｍ程度垂れ下がるように構成されており、便座６１の開口の内側面６１０を覆うことができる。また、前記垂れ下がり幅であれば、シャワートイレが設置されている場合においても、シャワートイレから出る水が内側シート部１２にかかることがない。
【００１６】
一方、内側シート部１２における便座６１の上面６１１からの垂れ下がりが、２．５ｃｍ未満の場合には、便座６１の開口の内側面６１０を充分に覆うことが困難となるおそれがある。また、前記垂れ下がりが３ｃｍを超える場合には、例えば、シャワートイレから出る水が内側シート部１２に飛散するおそれがある。ただし、この場合には、内側シート部１２の後方に、切欠を設けることにより、シャワートイレから出る水が内側シート部１２に飛散することを回避することができる。
【００１７】
また、上面シート部１１の右側端部には、図１、図２に示すごとく、使用後の便座シート１を包装するための袋状の包装体１４が設けられている。本実施形態においては、包装体１４は袋状となっているが、例えば、単なるシート状とするなど他の形状とすることもできる。
そして、包装体１４は、後述する縮小用紐１５が集合して上面シート部１１から露出する集合部１５０よりも外側の上面シート部１１の上面１１１の右側端部において熱圧着または接着剤により接続されている。
【００１８】
また、便座シート１は、図１、図２、図４〜図８に示すごとく、上面シート部１１と内側シート部１２との少なくとも一方に縫い込まれた縮小用紐１５を有する。該縮小用紐１５の一部は、上面シート部１１および内側シート部１２の右側の外部に配されており、その外部に配された縮小用紐１５の一部を引張ることにより、便座シート１の嵩が縮小するよう構成してある。
【００１９】
前記縮小用紐１５は、上面シート部１１の開口部１１０を取り囲むように配設され、かつ便座シートの嵩をより一層縮小するために二重に配設されている。そして、２本の縮小用紐１５各々の両端が上面シート部１１の右側部分から外部に露出している。
また、図９に示すごとく、２本の縮小用紐１５が、例えば、便座シート１の左側において互いに交差させるように、縮小用紐１５を上面シート部１１に縫いこむこともできる。これにより、２本の縮小用紐１５の長さを均等にすることができ、縮小用紐１５を引張って便座シート１の嵩を縮小させたとき、その嵩を充分に小さくすることができる。
尚、本例の縮小用紐１５には、厚みが充分に薄い紐を用いている。それ故、便座シート１に着座した場合においても、縮小用紐１５の厚みを意識することなく着座することができる。
【００２０】
また、上面シート部１１の外部に配された縮小用紐１５の両端は、把持部材１６に接続されている。また、把持部材１６は、円環状体からなる。
また、上面シート部１１は、図８に示すごとく、縮小用紐１５を下側から覆う保護シート部１７を下面１１２に配設していることにより、縮小用紐１５が便座６１の上面６１１に直接触れることがないよう構成されている。
【００２１】
また、上面シート部１１と保護シート部１７とは、互いに部分的に熱圧着してなる（図８における符号１７０参照）。
【００２２】
また、保護シート部１７は、便座に仮固定するための粘着テープ１８を下面に有し、この粘着テープ１８が、粘着力の弱い両面テープを使用することにより、使用後に剥がしやすくなるように構成している。
なお、保護シート部１７が設けられていない場合には、上面シート部１１の下面に粘着テープ１８を配設することも勿論可能である。
【００２３】
また、本実施形態では、便座シート１を、粘着テープ１８によって便座６１に固定しているが、特に一回限りの使用で便座シート１を捨てる場合においては、粘着テープ１８が配設されていない便座シート１を使用しても良い。
また、上面シート部１１の上面１１１の後方外側の左側端および右側端には目印１９をつけておいてもよい。
【００２４】
また、上面シート部１１は、図１〜図３に示すごとく、便器６０の前面及び側面を覆う前方ガード部１１３及び側方ガード部１１４を有する。ここで、前方ガード部１１３及び側方ガード部１１４は共に、便座６１の上面６１１より５〜１３ｃｍ程度垂れ下がるように構成されている。
【００２５】
また、縮小用紐１５の大部分を、前方ガード部１１３又は側方ガード部１１４に配設することにより、便座シート１の使用時に縮小用紐１５が便座６１の上面６１１に配されていないように構成することもできる。また、便座シート１は、予め滅菌処理を施しておくこともできる。
【００２６】
また、上面シート部１１の上面１１１には、例えば、シボ加工等の表面処理を施すことにより、便座シート１に着座した際の肌と上面シート部１１との密着を抑制することもできる。これにより、感染源等の接触を減らすことができるため、便座シート１全体を、より清潔な状態に保つことができる。
【００２７】
また、便座シート１に摩擦による静電気の発生を抑制する静電気防止剤を塗布あるいは練り込んで表面導電度を高めることもできる。これにより、冬など静電気が多発する時期に、静電気の発生が抑制されるため、静電気による人体への刺激を減らすことができる。
【００２８】
また、便座シート１の各構成部材（例えば、上面シート部１１、内側シート部１２、紐体１３、包装体１４、縮小用紐１５、把持部材１６、保護シート部１７、粘着テープ１８、粘着部２０、前方ガード部１１３、側方ガード部１１４、これらの素材である繊維、及び布、及び紐、及び糸）の材質は、例えば、紙及び又は樹脂からなる。例えば、紙とその片面や両面に形成した樹脂層とから成るものや、紙に樹脂を含浸させたものである。紙は、例えばケナフ等、生分解性のものも含む。前記樹脂は、例えばポリプロピレン、ポリエチレン、ポリ塩化ビニル、ポリエチレンテレフタラート等の樹脂のほか、微生物の代謝作用でその樹脂成分が水と炭酸ガスに分解される生分解性樹脂も含む。各構成部分の材質が前記樹脂を含む場合は、便座シート１の下面１１２から感染源等が吸収されることがなく、上面シート部１１の上面１１１にまで浸透してくることもない。即ち、感染源等の侵入経路を遮断することができるため、感染症、二次的感染症及び創傷部における接触感染等を予防することができる。
【００２９】
また、把持部材１６の材質は、樹脂及び又は布及び又は紐及び又は紙等及び又はそれらを合成したものとすることもできる。
【００３０】
また、便座シート１の材質に用いる生分解性樹脂としては、例えば、微生物産生系（ＰＨＢ（ポリヒドロキシブチレート）、ＰＨＢＨ（ポリ（ヒドロキシブチレート/ヒドロキシヘキサノエート））等）及び天然物系（エステル澱粉、ＣＡ（酢酸セルロース）、キトサン／セルロース／澱粉、澱粉／化学合成系グリーンブラ等）及び化学合成系（ＰＬＡ（ポリ乳酸）、ＰＬＡ−ｃｏ−ＰＨＢ（（ポリ乳酸/ポリブチレンサクシネート系）ブロックコポリマー）、ＰＣＬ（ポリカプロラクトン）、ＰＣＬＢＳ（ポリ（カプロラクトン／ブチレンサクシネート））、ＰＢＳ（ポリブチレンサクシネート）、ＰＢＳＡ（ポリ（ブチレンサクシネート／アジペート））、ＰＥＣ（ポリ（ブチレンサクシネート／カーボネート））、ＰＥＴＳ（ポリ（エチレンテレフタレート／サクシネート））、ＰＢＡＴ（ポリ（ブチレンアジペート／テレフタレート））、ＰＴＭＡＴ（ポリ（テトラメチレンアジペート／テレフタレート））、ＰＥＳ（ポリエチレンサクシネート）、ＰＶＡ（ポリビニールアルコール）、ＰＧＡ（ポリグリコール酸）等）がある。便座シート１が前記のような生分解性の材質である場合は、廃棄が容易である。つまり焼却時にダイオキシンなどの有害ガスを発生しないため、普通ゴミとして廃棄できる。また、土中で分解されるため、土に埋めることもできる。また、便座シート１の材質は、前記生分解性の材質に限定されるものではなく、水に溶解する材質とすることによって、汚物とともに水に流すこともできる。
【００３１】
また、便座シート１は、各構成部材同士を接着する接着剤や便座シート１の表面に塗布する塗料が使用されており、これら接着剤や塗料の材質を含む便座シートを構成する部材は、生分解性樹脂（Ｄ乳酸濃度の高い非晶性ポリ乳酸であって汎用溶剤溶解性を持った樹脂等）とするのが好ましい。
【００３２】
<使用方法の説明>
本実施形態による便座シート１の装着手順につき、図１〜図３を用いて説明する。
便座シート１は、最初包装体１４の中に包装されており、使用時には包装体１４を裏返すようにして便座シート１を出す。
【００３３】
ここで、図１に示すごとく、上面シート部１１の後方外側の左端及び右端には、目印１９が付いているため、例えば、目印１９ａを、便座６１の左側に配置し、目印１９ｂを、便座６１の右側に配置することで、便座シート１を便座６１の所定の位置に正しい向きで配置する。
【００３４】
更に、このとき、便座６１の開口の内側面６１０と便座シート１の開口部１１０とが略同一位置となるように位置を調整しておく。
そして、便座シート１を上記の位置に配置した後、図１、図２に示すごとく、便座６１の開口の内側面６１０を覆うように、内側シート部１２を該開口に内挿する。
【００３５】
次いで、図１、図２に示すごとく、粘着テープ１８を便座６１の上面６１１に貼着する。本例では、上面シート部１１の下面１１２に粘着テープ１８が取り付けられている。
【００３６】
また、使用前の粘着テープ１８の下面には、図示しない保護カバーが貼着されている。そして、上面シート部１１を便座６１の上面６１１に仮固定する際には、保護カバーを剥がすことにより、粘着テープ１８が使用可能となる。尚、粘着テープ１８の保護カバーは、必ずしも設けられていなくとも良い。
【００３７】
更に、図２、図３に示すごとく、便器６０の前面及び側面を覆うために前方ガード部１１３及び側方ガード部１１４を垂らす。一方、便座シート１の後方は、便座６１の後方に３ｃｍ以上５ｃｍ以下程度捲くり上げておく。この捲くり上げ部分を設けておくことにより、使用者の衣類が便座６１に触れることを確実に防ぐことができる。また、便器６０の大きさによって捲くり上げ部分の長さを変えることにより、種々の大きさの便器６０に対応できる。
以上の手順により、便座６１に便座シート１を装着することができる。
【００３８】
次に、後始末の手順につき、図４〜図７を用いて説明する。
まず、便座シート１を便座６１の上面６１１に仮固定するための粘着テープ１８を、便座６１の上面６１１より剥がすと共に、内側シート部１２を便座６１の開口の内側面６１０より取り外しておく。
【００３９】
次いで、図４に示すごとく、袋状の包装体１４の中に一方の手を差し込み、縮小用紐１５の集合部１５０近傍の上面シート部１１を掴む。そして、図５に示すごとく、他方の手で把持部材１６を握りつつ便座シート１の外側に向かって把持部材１６を引張る。これにより、上面シート部１１に縫い込まれた縮小用紐１５が便座シート１の外側に向かって引張られていくため、便座シート１の嵩が縮小しつつ、便座シート１を集合部１５０の近傍、即ち、包装体１４の近傍に集めることができる。
【００４０】
更に、その後、図６に示すごとく、手を差し込んでいた方の面が外側面となるように包装体１４をひっくり返すことにより、包装体１４の内部に便座シート１を収納することができる。
そして包装体１４に小さく収納された便座シート１は、図７に示すごとく、汚物箱等に捨てることができる。
以上の手順により、便座シート１を、感染源等が付着しているおそれのある部分に触ることなく後始末することができる。
【００４１】
なお、本発明の便座シート１は、本実施形態の構成及び使用方法に限られるものではなく、種々の構成及び方法によって使用することができる。
【００４２】
<作用効果>
次に、本実施形態による作用効果について説明する。
本実施形態の便座シート１は、図１〜図３に示すごとく、便座６１の上面６１１に載置する開口部１１０を有する上面シート部１１と、開口部１１０から垂れ下がるように上面シート部１１に接続された円環状の内側シート部１２とを有する。これにより、便座シート１が便器からずれることなく確実に便座６１の上面６１１及び内側面６１０を覆い、よって感染源等が付着しているおそれのある便座６１の上面６１１又は内側面６１０に、肌が直接触れることを防ぐことができる。そのため、清潔な状態で安心して用を足すことができると共に、感染症や二次的感染症等の感染を防ぐことができ、ひいては、生活環境の改善や衛生水準の向上をも図ることができる。
【００４３】
また、便座シート１は、図１〜図３に示すごとく、内側シート部１２に内挿された紐体１３を有する。これにより、紐体１３の重みによって内側シート部１２を上面シート部１１の下方へ垂れ下がりやすくすると共に、便座６１の開口の内側面６１０に沿わせやすくし、使用時の取り扱いを容易にすることができる。そのため、便座６１の開口の内側面６１０が使用者の肌に触れることを確実に防ぎ、安心して用を足すことができる。
【００４４】
また、上面シート部１１の右側端部には、図１、図２に示すごとく、包装体１４が接続されている。また、便座シート１は、図１、図２に示すごとく、上面シート部１１に上記縮小用紐１５を有する。そのため、使用後の便座シート１に付着した感染源等に触れずに、便座シート１の嵩を縮小することができ、更に、該便座シート１を包装体１４に収納することにより、感染源等が付着しているおそれのある便座シート１に直接触れることなく、便座シート１を容易に処分することができる。
【００４５】
また、便座シート１は、図１、図２に示すごとく、上面シート部１１及び内側シート部１２の外部に配された縮小用紐１５の一部に接続された把持部材１６を有する。それ故、把持部材１６ごと縮小用紐１５を引張ることができるため、感染源等が付着しているおそれのある縮小用紐１５に触れることなく、便座シート１の嵩を容易に縮小することができる。
【００４６】
また、上面シート部１１は、図８に示すごとく、縮小用紐１５を下側から覆う保護シート部１７を下面１１２に配設してなるため、縮小用紐１５が便座６１に直接触れることを防ぐことができる。そして、そのため、縮小用紐１５に感染源等が付着することを防ぐことができる。また、これにより、縮小用紐１５を引張って便座シート１の嵩を縮小させる際に、感染源等に使用者の手が触れることを防ぐことができる。
【００４７】
また、上面シート部１１と保護シート部１７とは、図８に示すごとく、互いに熱圧着してなるため、互いに重ね合わされた上面シート部１１と保護シート部１７とが分離することを防ぐことができる。そのため、保護シート部１７が所定の位置からずれて、縮小用紐１５が便座６１の上面６１１に直接触れることを防ぐことができる。
【００４８】
また、上面シート部１１又は保護シート部１７は、図１、図２に示すごとく、便座６１の上面に仮固定するための粘着テープ１８を下面に取り付けてなるため、使用中も便座シート１が所定の位置からずれることを防ぐことができる。
【００４９】
更に、図１に示すごとく、上面シート部１１の後方外側の左端及び右端には、目印１９が付いているため、便座６１に配設する位置を容易に把握することができる。
また、上面シート部１１は、図１〜図３に示すごとく、便器６０の前面及び側面を覆う前方ガード部１１３及び側方ガード部１１４を有するため、便器６０の前面及び側面に直接肌や衣服が触れることを防ぐことができるため、より清潔な状態で安心して用を足すことができる。
【００５０】
また、便座シート１の各構成部材の材質が樹脂を含むなど感染源等の侵入経路を遮断することができる場合においては、感染症、二次的感染症及び創傷部における接触感染等を予防することができる。
【００５１】
また、便座シート１の各構成部材が生分解性の材質である場合は、焼却したり、土に埋めたりなど、容易に廃棄することができる。
【００５２】
以上のごとく、本実施形態によれば、清潔な状態で安心して用を足すことができると共に、感染症や二次的感染症等の感染を防ぐことができる便座シートを提供することができる。
【００５３】
<実施形態２>
本発明の第２の実施形態による便座シートを、図１０および図１１を用いて説明する。この実施形態は、公衆トイレに設置される洋式トイレの便座６１に装着する便座シート１の例である。
【００５４】
<構成の説明>
本実施形態は、実施形態１の構成に加え、図１０に示すごとく、前方ガード部１１３及び側方ガード部１１４を便座６１の下面６１２に巻回することができるよう構成した便座シート１の実施形態である。そして、前方ガード部１１３及び側方ガード部１１４に、内側シート部１２の下端部１２１に配設された貼着部２０が貼着されている。
【００５５】
また、内側シート部１２の下端部１２１は、図１０、図１１に示すごとく、貼着部２０の更に下側に粘着部分を持たない突出部２１を有する。内側シート部１２の下端部１２１は初め、図１１（ａ）に示すごとく、貼着部２０を挟み込むように上側に折り曲げられているため、貼着部２０の粘着部分は外部に露出していない。
【００５６】
そして、便座シート１を便座６１に装着する際に、図１１（ａ）、（ｂ）に示すごとく、突出部２１を矢印Ｗの方向に引っ張ることにより、貼着部２０は、粘着部分を外部に露出させて前方ガード部１１３又は側方ガード部１１４に貼着することができるよう構成してある。尚、貼着部２０の構成は、以下の実施形態においても同様とする。
【００５７】
<作用効果>
本実施形態によれば、実施形態１の作用効果に加え、便座シート１が便座を巻回して覆うため、使用中も便座シート１が所定の位置からずれることを確実に防ぐことができる。また、便座６１に直接肌や衣服が触れることを確実に防ぐことができるため、より一層清潔な状態で安心して用を足すことができる。
【００５８】
<実施形態３>
本発明の第３の実施形態による便座シートを、図１２を用いて説明する。
本実施形態は、公衆トイレに設置される洋式トイレの便座６１に装着する便座シート１の実施形態である。
【００５９】
<構成の説明>
本実施形態は、実施形態１の構成に加え、図１２に示すごとく、前方ガード部１１３及び側方ガード部１１４の端部１１５に粘着部２０が配設されており、該貼着部２０が、便座６１の下面６１２に直接貼着されることで便座６１に装着されている便座シート１の一実施形態である。
【００６０】
<作用効果>
本実施形態によれば、実施形態１の作用効果に加え、粘着部を有するため、使用中も便座シート１が所定の位置からずれることを確実に防ぐことができる。また、便座６１に直接肌や衣服が触れることを確実に防ぐことができるため、より一層清潔な状態で安心して用を足すことが出来る。
【００６１】
<実施形態４>
本発明の第４の実施形態による便座シートを、図１３を用いて説明する。
本実施形態は、公衆トイレに設置される洋式トイレの便座６１に装着する便座シート１の実施形態である。
【００６２】
<構成の説明>
本実施形態は、実施形態１の構成に加え、図１３に示すごとく、便座６１の下面６１２を覆う下面シート部３を有すると共に、前方ガード部１１３及び側方ガード部１１４の端部１１５に配設された貼着部２０により前記下面シート部３の端部３０が固定されている便座シート１の例である。尚、下面シート部３は、内側シート部１２の下端から延設されている。
【００６３】
また、前方ガード部１１３及び側方ガード部１１４は図１３に示すごとく、便座６１の外側から下面６１２に向かって巻回されており、一方、下面シート部３は、便座６１の開口の内側面６１０から便座６１の下面６１２に沿って巻回されている。
【００６４】
<作用効果>
本実施形態によれば、実施形態１の作用効果に加え、便座シート１が便座を巻回して覆うため、使用中も便座シート１が所定の位置からずれることを確実に防ぐことができる。また、便座６１に直接肌や衣服が触れることを確実に防ぐことができるため、より一層清潔な状態で安心して用を足すことができる。
【００６５】
<実施形態５>
本発明の第５の実施形態による便座シートを、図１４を用いて説明する。
本実施形態は、公衆トイレに設置される洋式トイレの便座６１に装着する便座シート１の実施形態である。
【００６６】
<構成の説明>
本実施形態は、実施形態１の構成に加え、図１４に示すごとく、前方ガード部１１３及び側方ガード部１１４の端部１１５と下面シート部３の端部３０とにそれぞれ配設されたゴム紐１３０により、便座６１に固定されている便座シート１の例である。
また、下面シート部３は、実施形態４と同様に、内側シート部１２の下端から延設されている。
【００６７】
そして、下面シート部３は、図１４に示すごとく、便座６１の外側において、便座６１の下面６１２より上面６１１に向かって下面シート部３の端部３０を覆うように巻回されていると共に、ゴム紐１３０により便座６１に固定されている。
【００６８】
また、前記下面シート部３の端部３０に、ゴム紐１３０の代わりに貼着部２０を設けることもできる。この場合には、下面シート部３の端部３０を便座６１に貼着すると共に、前方ガード部１１３及び側方ガード部１１４が、下面シート部３の端部３０を覆うように便座６１に巻回され、ゴム紐１３０によって便座６１に固定されている。
【００６９】
<作用効果>
本実施形態によれば、実施形態１の作用効果に加え、便座シート１が便座を巻回して覆うため、使用中も便座シート１が所定の位置からずれることを確実に防ぐことができる。また、便座６１に直接肌や衣服が触れることを確実に防ぐことができるため、より一層清潔な状態で安心して用を足すことができる。
【００７０】
<実施形態６>
本発明の第６の実施形態による便座シートを、図１５を用いて説明する。
本実施形態は、例えば、病院の個室等において備え付けられる洋式トイレの便座６１やポータブルトイレ等に装着する便座シート１の実施形態である。
【００７１】
<構成の説明>
本実施形態は、実施形態１の構成に加え、図１５に示すごとく、上面シート部１１の前方及び側方に、前方ガード部１１３及び側方ガード部１１４が設けられていると共に、側方ガード部１１４は便座６１の下面６１２に巻回されており、更に右側の側方ガード部１１４には、取手部４が配設されている便座シート１の実施形態である。
また、前方ガード部１１３は、図１５に示すごとく、便座６１の上面６１１よりも５〜１３ｃｍ程度垂れ下がっている。
【００７２】
また、取手部４の一端には貼着部２０が形成されており、便座６１の下面６１２に巻回されている側方ガード部１１４の端部の一部をも挟み込んだ状態で、上記貼着部２０により、下面６１２に取手部４の一端が固定される。これにより、取手部４を掴んで便座６１の上げ下げを行うことができる。
【００７３】
<作用効果>
本実施形態によれば、実施形態１の作用効果に加え、免疫力の低下している患者が、感染症等に感染することを充分に防ぐことができる。
つまり、特に、免疫力の低下している患者は、微量の感染源等によっても二次的感染症等を引き起こすおそれがあるため、衛生面に関して充分な注意を要する。そのため、便座６１を上げ下げする際に便座シート１に触れる部分を、患者とそれ以外の他の者（例えば、看護師、介護者等）とで分けておくことが好ましい。
【００７４】
そこで、本実施形態では、例えば、患者は、前方ガード部１１３を介して便座６１の前端部を掴んで便座６１の上げ下げをし、患者以外の他の者は、取手部４を掴んで便座６１の上げ下げをすることができるように構成してある。これにより、より一層清潔な状態で用を足すことができると共に、免疫力の低下している患者が、感染症等に感染することを充分に防ぐことができる。
【００７５】
<実施形態７>
本発明の第７の実施形態による便座シートを、図１６を用いて説明する。
本実施形態は、介護用等の差込便器７に装着する便座シート１の実施形態である。
【００７６】
<構成の説明>
本実施形態は、実施形態１の構成に加え、図１６に示すごとく、便座シート１の前方の左右の側面に、それぞれ前方紐部８１が配設されており、後方の左右の側面には、それぞれ後方紐部８２が配設されている。
【００７７】
また、便座シート１の側面には、ゴム紐からなるゴム部８３が便座シート１の左右及び後の側面に沿って配設されている。
また、便座シート１の左右及び前の側面に沿って、下面シート部３が接続されており、下面シート部３の前方部分における上面には、粘着テープ１８が、下面シート部３の前方部分における下面には、粘着テープ１８０が配設されている。その他の構成は実施形態１と同様である。
【００７８】
<使用方法の説明>
本実施形態の便座シート１の装着方法につき、以下に説明する。
まず、図１６に示すごとく、差込便器７を、矢印Ｙの方向に向かって便座シート１に差し込むと共に、差込便器７の外側に設けられた突出部７１に、ゴム部８３を引っ掛けることにより差込便器７に仮固定する。
【００７９】
次いで、下面シート部３の前方部分の下面に配設された粘着テープ１８０を、下面シート部３の適切な位置で接着することにより便座シート１のサイズ調整を行う。その後、左右の前方紐部８１同士を便座シート１の下部において結ぶと共に、左右の後方紐部８２同士を便座シート１の後方において結ぶことにより、本実施形態の便座シート１を、種々の大きさや形状を有する差込便器７に密着させた状態で装着することができる。
【００８０】
<作用効果>
本実施形態によれば、実施形態１の作用効果に加え、差込便器７に装着した便座シート１は、その使用中も差込便器７からずれることがないため安心して用を足すことができると共に、取手７２を掴んで差込便器７を移動させる場合においても、便座シート１が差込便器７から外れることがない。
【００８１】
<実施形態８>
本発明の第８の実施形態による便座シートを、図１７を用いて説明する。
本実施形態は、公衆トイレに設置される洋式トイレの便座６１に装着する便座シート１の実施形態である。
【００８２】
<構成の説明>
本実施形態は、図１７に示すごとく、上面シート部１１の前、後、左、右のそれぞれの中央部の計４箇所において折り目５が設けられている便座シート１の実施形態である。
本実施形態では、上記４箇所の折り目５のうち、図１７（ａ）に示すごとく、前、左、右の３箇所においては山折り部５ａとなっており、後方においては谷折り部５ｂとなっている。尚、本実施形態の便座シート１においては、縮小用紐は縫い込まれていない。
【００８３】
<使用方法の説明>
本実施形態の便座シート１を縮小化する方法につき説明する。
まず、便座シート１の使用後は、上面シート部１１の折り目５付近の左右端部を手で持ち、図１７（ｂ）に示すごとく、折り目５に沿って便座シート１を山折りする。その後、図１７（ｃ）に示すごとく、便座シート１の後方を内側に挟みこむように後部の谷折り部５ｂを谷折りし、前部の山折り部５ａを山折りすることで便座シート１の嵩を縮小化することができる。それ故、便座シート１を容易に収納袋に収納し、処分することができる。
【００８４】
上記方法によれば、感染源等が付着しているおそれのある上面シート部１１の下面１１２及び上面シート部１１の後方のいずれの部分にも触れることなく便座シート１を縮小化することができる。
【００８５】
<作用効果>
本実施形態の便座シート１は、図１７に示すごとく、便座６１の上面６１１に載置する開口部１１０を有する上面シート部１１と、開口部１１０から垂れ下がるように上面シート部１１に接続された円環状の内側シート部１２とを有する。これにより、便座シート１が便器からずれることなく確実に便座６１の上面６１１及び内側面６１０を覆い、これにより感染源等が付着しているおそれのある便座６１の上面６１１又は内側面６１０に、肌が直接触れることを防ぐことができる。そのため、清潔な状態で安心して用を足すことができると共に、感染症や二次的感染症等の感染を防ぐことができ、ひいては、生活環境の改善や衛生水準の向上をも図ることができる。
【００８６】
また、便座シート１は、図１７に示すごとく、内側シート部１２に内挿された紐体１３を有する。これにより、紐体１３の重みによって内側シート部１２を上面シート部１１の下方へ垂れ下がりやすくすると共に、便座６１の開口の内側面６１０に沿わせやすくし、使用時の取り扱いを容易にすることができる。そのため、便座６１の開口の内側面６１０が使用者の肌に触れることを確実に防ぎ、安心して用を足すことができる。
【００８７】
また、便座シート１は、実施形態１に比べて、簡易な構造であるため、迅速に装着及び後始末ができる。
また、便座シート１の各構成部材の材質が樹脂を含むなど感染源等の侵入経路を遮断することができる場合においては、感染症、二次的感染症及び創傷部における接触感染等を予防することができる。
【００８８】
また、便座シート１の各構成部材が生分解性の材質である場合は、焼却したり、土に埋めたりなど、容易に廃棄することができる。
なお、実施形態１〜８の便座シート１は、例えば、病院やホテル等の施設に設置される洋式トイレ、又は公衆トイレにおける洋式トイレの便座に装着することができる。
【００８９】
また、便座シート１は、ホテル等において家族と共同でトイレを使用する場合には、使い捨てのように一回限りではなく、家族間で複数回使うことが可能である。また、一人で使用する場合にも、同様に、複数回使用した後処分することが可能である。
【図面の簡単な説明】
【００９０】
【図１】実施形態１における、便座に便座シートを装着する前の状態を示す斜視説明図。
【図２】実施形態１における、便座に便座シートを装着した後の状態を示す斜視説明図。
【図３】実施形態１における、便座シートが装着されている便座の断面説明図。
【図４】実施形態１における、包装体に手を差し込んだ状態を示す説明図。
【図５】実施形態１における、把持部材を引張ることにより便座シートを縮小化した状態を示す説明図。
【図６】実施形態１における、便座シートを包装体に収納する方法を示す説明図
【図７】実施形態１における、便座シートを包装体に収納した状態を示す説明図。
【図８】実施形態１における、上面シート部と縮小用紐と保護シート部との位置関係を示す説明図。
【図９】実施形態１における、縮小用紐の配設方法が異なる便座シートの上面図。
【図１０】実施形態２における、便座シートが装着されている便座の断面説明図。
【図１１】実施形態２における、（ａ）貼着部を使用する前の状態を示す説明図、（ｂ）貼着部を使用する際の状態を示す断面説明図。
【図１２】実施形態３における、便座シートが装着されている便座の断面説明図。
【図１３】実施形態４における、便座シートが装着されている便座の断面説明図。
【図１４】実施形態５における、便座シートが装着されている便座の断面説明図。
【図１５】実施形態６における、便座シートが装着されている便座の斜視説明図。
【図１６】実施形態７における、差込便座に便座シートを装着する方法を示す斜視説明図。
【図１７】実施形態８における、（ａ）折り畳む前の便座シートの斜視説明図、（ｂ）便座シートを前後に折り畳む様子を示す斜視説明図，（ｃ）便座シートを左右に折り畳む様子を示す斜視説明図。
【図１８】従来例における、便座シートが装着されている便座の斜視説明図。
【符号の説明】
【００９１】
１・・・便座シート、３・・・下面シート部、４・・・取手部、５・・・折り目、７・・・差込便器、１１・・・上面シート部、１２・・・内側シート部、１３・・・紐体、１４・・・包装体、１５・・・縮小用紐、１６・・・把持部材、１７・・・保護シート部、１８・・・粘着テープ、１９・・・目印、２０・・・粘着部、７１・・・突出部、７２・・・取手、１１１・・・上面シート部の上面、１１２・・・上面シート部の下面、１１３・・・前方ガード部、１１４・・・側方ガード部、１３０・・・ゴム紐、６０・・・便器、６１・・・便座、８１・・・前方紐部、８２・・・後方紐部、８３・・・ゴム部、６１１・・・便座の上面、６１２・・・便座の下面
【図１】
2007159839.tif 000003
【図２】
2007159839.tif 000004
【図３】
2007159839.tif 000005
【図４】
2007159839.tif 000006
【図５】
2007159839.tif 000007
【図６】
2007159839.tif 000008
【図７】
2007159839.tif 000009
【図８】
2007159839.tif 000010
【図９】
2007159839.tif 000011
【図１０】
2007159839.tif 000012
【図１１】
2007159839.tif 000013
【図１２】
2007159839.tif 000014
【図１３】
2007159839.tif 000015
【図１４】
2007159839.tif 000016
【図１５】
2007159839.tif 000017
【図１６】
2007159839.tif 000018
【図１７】
2007159839.tif 000019
【図１８】
2007159839.tif 000020